【手続補正書】
【提出日】平成19年10月24日(2007.10.24)
【手続補正１】
【補正対象書類名】明細書
【補正対象項目名】発明の名称
【補正方法】変更
【補正の内容】
【発明の名称】撮影装置、撮影方法、及び記憶媒体
【手続補正２】
【補正対象書類名】明細書
【補正対象項目名】特許請求の範囲
【補正方法】変更
【補正の内容】
【特許請求の範囲】
【請求項１】  Ｘ線撮影手段によって撮影画像データを取得する可搬型の撮影装置であって、
可搬型記憶媒体から撮影情報を取得するための読取手段を備えることを特徴とする撮影装置。
【請求項２】  上記読取手段により得られた撮影情報に基づいて、上記Ｘ線撮影手段によりＸ線撮影を行なう撮影手段と、
上記撮影手段により得られた撮影画像データへ当該撮影画像データの撮影情報を付加して記憶する記憶手段とを備えることを特徴とする請求項１記載の撮影装置。
【請求項３】  さらに上記記憶手段に記憶された撮影画像データを通信媒体を介して転送する転送手段を備えることを特徴とする請求項２記載の撮影装置。
【請求項４】  上記可搬型記憶媒体へ上記撮影手段での撮影情報を書き込む書き込み手段を備えることを特徴とする請求項２記載の撮影装置。
【請求項５】  Ｘ線撮影手段によって撮影画像データを取得する可搬型の撮影装置であって、
上記Ｘ線撮影手段によってＸ線撮影を行うための撮影情報を無線で取得するための通信手段を備えることを特徴とする撮影装置。
【請求項６】  Ｘ線撮影手段によって撮影画像データを取得する可搬型の撮影装置であって、
撮影情報を通信によって取得する通信手段と、
上記通信手段により得られた撮影情報に基づいて、上記Ｘ線撮影手段によりＸ線撮影を行なう撮影手段と、
上記撮影手段により得られた撮影画像データに当該撮影画像データの撮影情報を付加して記憶する記憶手段とを備えることを特徴とする撮影装置。
【請求項７】  上記通信手段は、上記撮影手段での撮影情報、及び上記記憶手段に記憶された撮影画像データを転送することを特徴とする請求項６記載の撮影装置。
【請求項８】  上記通信手段は、無線で通信することを特徴とする請求項６記載の撮影装置。
【請求項９】  Ｘ線撮影手段を有する可搬型の撮影装置によって撮影画像データを得るための撮影方法であって、
上記可搬型の撮影装置において、端末から可搬型記憶媒体を介して撮影情報を取得する取得ステップを含むことを特徴とする撮影方法。
【請求項１０】  上記可搬型の撮影装置において、上記取得ステップで得られた情報に基づき撮影条件を設定する設定ステップと、
上記可搬型の撮影装置において、実際に撮影に使用した撮影条件を上記可搬型記憶媒体へ書き込む書き込みステップと、
上記可搬型の撮影装置において、撮影画像データへ上記可搬型記憶媒体の記憶情報を付加する付加ステップと、
上記付加ステップにより情報が付加された撮影画像データを通信媒体を介して転送する転送ステップとを含むことを特徴とする請求項９記載の撮影方法。
【請求項１１】  Ｘ線撮影手段を有する可搬型の撮影装置によって撮影画像データを得るための撮影方法であって、
上記可搬型の撮影装置において、端末からの撮影情報の取得、及び前記端末への撮影画像データの送信を無線で行う通信ステップを含むことを特徴とする撮影方法。
【請求項１２】  上記可搬型の撮影装置において、上記通信ステップで得られた撮影情報に基づき撮影条件を設定する設定ステップと、
上記可搬型の撮影装置において、撮影画像データへ上記設定ステップで設定された撮影条件を付加する情報付加ステップを含み、
上記通信ステップは、上記可搬型の撮影装置において、実際に撮影に使用した撮影条件を無線で送信するステップと、上記情報付加ステップにより情報付加された撮影画像データを無線で送信するステップとを含むことを特徴とする請求項１１記載の撮影方法。
【請求項１３】  請求項９〜１２の何れか１項に記載の撮影方法の処理ステップをコンピュータに実行させるためのプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、例えば、撮像手段としてＸ線フラットパネルセンサを使用した可搬型のＸ線撮影装置に用いられる、撮影装置、撮影方法、及びコンピュータ読み取り可能な記憶媒体に関するものである。
【手続補正４】
【補正対象書類名】明細書
【補正対象項目名】００１８
【補正方法】変更
【補正の内容】
【００１８】
【課題を解決するための手段】
斯かる目的下において、第１の発明は、Ｘ線撮影手段によって撮影画像データを取得する可搬型の撮影装置であって、可搬型記憶媒体から撮影情報を取得するための読取手段を備えることを特徴とする。
【手続補正５】
【補正対象書類名】明細書
【補正対象項目名】００１９
【補正方法】変更
【補正の内容】
【００１９】
第２の発明は、上記第１の発明において、上記読取手段により得られた撮影情報に基づいて、上記Ｘ線撮影手段によりＸ線撮影を行なう撮影手段と、上記撮影手段で得られた撮影画像データへ当該撮影画像データの撮影情報を付加して記憶する記憶手段とを備えることを特徴とする。
【手続補正６】
【補正対象書類名】明細書
【補正対象項目名】００２０
【補正方法】変更
【補正の内容】
【００２０】
第３の発明は、上記第２の発明において、さらに上記記憶手段に記憶された撮影画像データを通信媒体を介して転送する転送手段を備えることを特徴とする。
【手続補正７】
【補正対象書類名】明細書
【補正対象項目名】００２１
【補正方法】変更
【補正の内容】
【００２１】
第４の発明は、上記第２の発明において、上記可搬型記憶媒体へ上記撮影手段での撮影情報を書き込む書き込み手段を備えることを特徴とする。
【手続補正８】
【補正対象書類名】明細書
【補正対象項目名】００２２
【補正方法】変更
【補正の内容】
【００２２】
第５の発明は、Ｘ線撮影手段によって撮影画像データを取得する可搬型の撮影装置であって、上記Ｘ線撮影手段によってＸ線撮影を行うための撮影情報を無線で取得するための通信手段を備えることを特徴とする。
【手続補正９】
【補正対象書類名】明細書
【補正対象項目名】００２３
【補正方法】変更
【補正の内容】
【００２３】
第６の発明は、Ｘ線撮影手段によって撮影画像データを取得する可搬型の撮影装置であって、撮影情報を通信によって取得する通信手段と、上記通信手段により得られた撮影情報に基づいて、上記Ｘ線撮影手段によりＸ線撮影を行なう撮影手段と、上記撮影手段により得られた撮影画像データに当該撮影画像データの撮影情報を付加して記憶する記憶手段とを備えることを特徴とする。
【手続補正１０】
【補正対象書類名】明細書
【補正対象項目名】００２４
【補正方法】変更
【補正の内容】
【００２４】
第７の発明は、上記第６の発明において、上記通信手段は、上記撮影手段での撮影情報、及び上記記憶手段に記憶された撮影画像データを転送することを特徴とする。
【手続補正１１】
【補正対象書類名】明細書
【補正対象項目名】００２５
【補正方法】変更
【補正の内容】
【００２５】
第８の発明は、上記第６の発明において、上記通信手段は、無線で通信することを特徴とする。
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】変更
【補正の内容】
【００２８】
第９の発明は、Ｘ線撮影手段を有する可搬型の撮影装置によって撮影画像データを得るための撮影方法であって、上記可搬型の撮影装置において、端末から可搬型記憶媒体を介して撮影情報を取得する取得ステップを含むことを特徴とする。
【手続補正１５】
【補正対象書類名】明細書
【補正対象項目名】００２９
【補正方法】変更
【補正の内容】
【００２９】
第１０の発明は、上記第９の発明において、上記可搬型の撮影装置において、上記取得ステップで得られた情報に基づき撮影条件を設定する設定ステップと、上記可搬型の撮影装置において、実際に撮影に使用した撮影条件を上記可搬型記憶媒体へ書き込む書き込みステップと、上記可搬型の撮影装置において、撮影画像データへ上記可搬型記憶媒体の記憶情報を付加する付加ステップと、上記付加ステップにより情報が付加された撮影画像データを通信媒体を介して転送する転送ステップとを含むことを特徴とする。
【手続補正１６】
【補正対象書類名】明細書
【補正対象項目名】００３０
【補正方法】変更
【補正の内容】
【００３０】
第１１の発明は、Ｘ線撮影手段を有する可搬型の撮影装置によって撮影画像データを得るための撮影方法であって、上記可搬型の撮影装置において、端末からの撮影情報の取得、及び前記端末への撮影画像データの送信を無線で行う通信ステップを含むことを特徴とする。
【手続補正１７】
【補正対象書類名】明細書
【補正対象項目名】００３１
【補正方法】変更
【補正の内容】
【００３１】
第１２の発明は、上記第１１の発明において、上記可搬型の撮影装置において、上記通信ステップで得られた撮影情報に基づき撮影条件を設定する設定ステップと、上記可搬型の撮影装置において、撮影画像データへ上記設定ステップで設定された撮影条件を付加する情報付加ステップを含み、上記通信ステップは、上記可搬型の撮影装置において、実際に撮影に使用した撮影条件を無線で送信するステップと、上記情報付加ステップにより情報付加された撮影画像データを無線で送信するステップとを含むことを特徴とする。
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】変更
【補正の内容】
【００３３】
第１３の発明は、上記第９〜１２の発明の何れかに記載の撮影方法の処理ステップをコンピュータに実行させるためのプログラムを記憶したことを特徴とする。